(57)【要約】【課題】簡便な手順でロック状態への移行を解除することができる情報処理方法及び情報処理システムを提供する。【解決手段】機能が制限されたロック状態と、当該ロック状態が解除されたアンロック状態とを有し、ネットワークを介して接続されたウェアラブル端末と連携して、ロック状態とアンロック状態との間の状態遷移を制御する情報処理装置の情報処理方法であって、アンロック状態において、予め定められた第１条件を満たすか否かを判定する第１ステップと、第１ステップにおいて第１条件を満たした場合に、ウェアラブル端末に対し、所定の操作要求を送信する第２ステップと、ウェアラブル端末において、予め定められた第２条件を満たす操作が行われたか否かを判定する第３ステップと、を有し、第３ステップにおいて第２条件を満たした場合に、アンロック状態を維持する。【選択図】図７
2020109601.tif 000002
【特許請求の範囲】
【請求項１】
機能が制限されたロック状態と、当該ロック状態が解除されたアンロック状態とを有し、ネットワークを介して接続されたウェアラブル端末と連携して、前記ロック状態と前記アンロック状態との間の状態遷移を制御する情報処理装置の情報処理方法であって、
前記アンロック状態において、予め定められた第１条件を満たすか否かを判定する第１ステップと、
前記第１ステップにおいて前記第１条件を満たした場合に、前記ウェアラブル端末に対し、所定の操作要求を送信する第２ステップと、
前記ウェアラブル端末において、予め定められた第２条件を満たす操作が行われたか否かを判定する第３ステップと、
を有し、
前記第３ステップにおいて前記第２条件を満たした場合に、前記アンロック状態を維持する
情報処理方法。
【請求項２】
前記第３ステップにおいて前記第２条件を満たさなかった場合に、前記ロック状態に移行する
請求項１に記載の情報処理方法。
【請求項３】
所定の第１期間以上に亘り操作が行われていないことを前記第１条件とする
請求項１又は２に記載の情報処理方法。
【請求項４】
前記ウェアラブル端末において、所定の第２期間に前記操作要求に対応する操作が行われたことを前記第２条件とする
請求項１から３の何れか一項に記載の情報処理方法。
【請求項５】
前記第３ステップにおいて、前記情報処理装置に予め設定された加速度情報と、前記ウェアラブル端末により検出される加速度との相関関係に基づき、前記第２条件を満たす操作が行われたか否かを判定する
請求項１から４の何れか一項に記載の情報処理方法。
【請求項６】
前記情報処理装置に予め設定された加速度情報における時間的変位と、前記ウェアラブル端末により検出される加速度の時間的変位とが略一致していると判定した場合に、前記アンロック状態を維持する
請求項５に記載の情報処理方法。
【請求項７】
前記ロック状態において、前記情報処理装置により検出される加速度と、前記ウェアラブル端末により検出される加速度との相関関係に基づき、前記ロック状態を解除するか否かを判定する
請求項１から６の何れか一項に記載の情報処理方法。
【請求項８】
前記情報処理装置により検出される加速度の時間的変位と、前記ウェアラブル端末により検出される加速度の時間的変位とが略一致していると判定した場合に、前記ロック状態を解除する
請求項７に記載の情報処理方法。
【請求項９】
機能が制限されたロック状態と、当該ロック状態が解除されたアンロック状態とを有する情報処理装置と、当該情報処理装置とネットワークを介して接続されたウェアラブル端末とが連携して、前記ロック状態と前記アンロック状態との間の状態遷移を制御する情報処理システムであって、
前記アンロック状態において、予め定められた第１条件を満たすか否かを判定する第１処理と、
前記第１処理において前記第１条件を満たした場合に、前記ウェアラブル端末に対し、所定の操作要求を送信する第２処理と、
前記ウェアラブル端末において、予め定められた第２条件を満たす操作が行われたか否かを判定する第３処理と、
を有し、
前記第３処理において前記第２条件を満たした場合に、前記アンロック状態を維持する
情報処理システム。
【発明の詳細な説明】
【技術分野】
【０００１】
本発明は、情報処理方法及び情報処理システムに関する。
【背景技術】
【０００２】
スマートフォン等の携帯型の情報処理装置では、紛失や盗難の際のセキュリティを確保するため、所定の条件を満たしたときに装置の操作を制限するロック機能を設けた構成が一般的である。例えば、操作入力部からの入力操作が所定時間以上にわたって行われていないことや、操作入力部からロック状態への移行を指示する操作入力があったことをロック状態への移行条件とし、特定の入力操作をロック解除条件とする携帯可能情報処理装置が開示されている（例えば、特許文献１）。また、例えば、セキュリティを確保でき、かつ、簡便な手順で制限を解除することが可能な、情報処理装置、情報処理方法、及び情報処理システムが開示されている（例えば、特許文献２）。
【先行技術文献】
【特許文献】
【０００３】
【特許文献１】特開２０１７−１１４７４号公報
【特許文献２】国際公開第２０１６／０２４４２４号
【発明の概要】
【発明が解決しようとする課題】
【０００４】
例えば、上記従来技術のように、操作入力部からの入力操作が所定時間以上にわたって行われていないことをロック状態への移行条件とすることは、ユーザーが装置を置き忘れた場合に、当該装置を他者が不正に使用することを防止するために有効である。しかしながら、例えば、ユーザーが装置を机上に配置し、他の作業と並行して装置を利用している場合に、ユーザーの意思に反して装置がロック状態に移行する可能性がある。
【０００５】
本発明は、上記に鑑みてなされたものであり、簡便な手順でロック状態への移行を解除することができる情報処理方法及び情報処理システムを提供することを目的とする。
【課題を解決するための手段】
【０００６】
上記の目的を達成するため、一態様に係る情報処理方法は、機能が制限されたロック状態と、当該ロック状態が解除されたアンロック状態とを有し、ネットワークを介して接続されたウェアラブル端末と連携して、前記ロック状態と前記アンロック状態との間の状態遷移を制御する情報処理装置の情報処理方法であって、前記アンロック状態において、予め定められた第１条件を満たすか否かを判定する第１ステップと、前記第１ステップにおいて前記第１条件を満たした場合に、前記ウェアラブル端末に対し、所定の操作要求を送信する第２ステップと、前記ウェアラブル端末において、予め定められた第２条件を満たす操作が行われたか否かを判定する第３ステップと、を有し、前記第３ステップにおいて前記第２条件を満たした場合に、前記アンロック状態を維持する。
【０００７】
望ましい態様として、前記第３ステップにおいて前記第２条件を満たさなかった場合に、前記ロック状態に移行する。
【０００８】
望ましい態様として、所定の第１期間以上に亘り操作が行われていないことを前記第１条件とする。
【０００９】
望ましい態様として、前記ウェアラブル端末において、所定の第２期間に前記操作要求に対応する操作が行われたことを前記第２条件とする。
【００１０】
望ましい態様として、前記第３ステップにおいて、前記情報処理装置に予め設定された加速度情報と、前記ウェアラブル端末により検出される加速度との相関関係に基づき、前記第２条件を満たす操作が行われたか否かを判定する。
【００１１】
望ましい態様として、前記情報処理装置に予め設定された加速度情報における時間的変位と、前記ウェアラブル端末により検出される加速度の時間的変位とが略一致していると判定した場合に、前記アンロック状態を維持する。
【００１２】
望ましい態様として、前記ロック状態において、前記情報処理装置により検出される加速度と、前記ウェアラブル端末により検出される加速度との相関関係に基づき、前記ロック状態を解除するか否かを判定する。
【００１３】
望ましい態様として、前記情報処理装置により検出される加速度の時間的変位と、前記ウェアラブル端末により検出される加速度の時間的変位とが略一致していると判定した場合に、前記ロック状態を解除する。
【００１４】
上記の目的を達成するため、一態様に係る情報処理システムは、機能が制限されたロック状態と、当該ロック状態が解除されたアンロック状態とを有する情報処理装置と、当該情報処理装置とネットワークを介して接続されたウェアラブル端末とが連携して、前記ロック状態と前記アンロック状態との間の状態遷移を制御する情報処理システムであって、前記アンロック状態において、予め定められた第１条件を満たすか否かを判定する第１処理と、前記第１処理において前記第１条件を満たした場合に、前記ウェアラブル端末に対し、所定の操作要求を送信する第２処理と、前記ウェアラブル端末において、予め定められた第２条件を満たす操作が行われたか否かを判定する第３処理と、を有し、前記第３処理において前記第２条件を満たした場合に、前記アンロック状態を維持する。
【発明の効果】
【００１５】
本発明によれば、簡便な手順でロック状態への移行を解除することができる情報処理方法及び情報処理システムを提供することができる。
【図面の簡単な説明】
【００１６】
【図１】図１は、実施形態１に係る情報処理システムの構成の一例を示す図である。
【図２】図２は、図１に示す情報処理システムの機能構成の一例を示すブロック図である。
【図３】図３は、条件設定部に設定される各種条件の一例を示す図である。
【図４】図４は、比較例に係るロック移行処理の一例を示すフローチャートである。
【図５】図５は、比較例に係るロック解除処理の一例を示すフローチャートである。
【図６】図６は、実施形態１に係るロック移行条件の一例を示す図である。
【図７】図７は、図７は、実施形態１に係るロック移行処理の一例を示すフローチャートである。
【図８】図８は、実施形態２に係るロック解除機能について説明するための説明図である。
【図９】図９は、実施形態２に係るロック解除処理の一例を示すフローチャートである。
【発明を実施するための形態】
【００１７】
本発明を実施するための形態（実施形態）について、図面を参照しつつ詳細に説明する。なお、本実施形態に記載した内容により本発明が限定されるものではない。また、以下に記載した構成要素には、当業者が容易に想定できるもの、実質的に同一のものが含まれる。さらに、以下に記載した構成要素は適宜組合せることが可能である。
【００１８】
（実施形態１）
図１は、実施形態１に係る情報処理システムの概要構成の一例を示す図である。図１に示すように、本実施形態に係る情報処理システム１は、情報処理装置１０と、ウェアラブル端末３０とを含む。情報処理装置１０は、例えば、スマートフォン等のような携帯型の情報処理装置により構成される。また、ウェアラブル端末３０は、情報処理装置１０と、Ｂｌｕｅｔｏｏｔｈ（登録商標）やＷｉ−Ｆｉ（登録商標）等のネットワークｎを介して通信可能に構成されている。本実施形態において、ウェアラブル端末３０は、例えば、スマートウォッチのようなユーザーの腕に装着する腕時計型の情報処理装置を例示しているが、これに限定されない。ウェアラブル端末３０は、例えば、ヘッドマウントディスプレイ（ＨＭＤ）のようなユーザーの頭部に装着するゴーグル型の情報処理装置であっても良い。ウェアラブル端末３０の構成により本開示が限定されるものではない。
【００１９】
図１に示す例において、情報処理装置１０は、画面表示を行うと共に、ユーザーが情報処理装置１０を操作するためのユーザーインタフェースとしてのディスプレイ１１を有している。すなわち、ディスプレイ１１は、画面表示を行う構成部としての表示部１２と、ユーザーが入力操作を行うための構成部としての入力部１３とを兼ねている。ディスプレイ１１に含まれる入力部１３への入力操作としては、タップ、スワイプ、ピンチイン、ピンチアウト等を含む。また、情報処理装置１０は、入力部１３として電源ボタンや音量ボタン等のハードウェアボタン（不図示）を含んでも良い。
【００２０】
また、図１に示す例において、ウェアラブル端末３０は、画面表示を行うと共に、ユーザーがウェアラブル端末３０を操作するためのユーザーインタフェースとしてのディスプレイ３１を有している。すなわち、ディスプレイ３１は、画面表示を行う構成部としての表示部３２と、ユーザーが入力操作を行うための構成部としての入力部３３とを兼ねている。ディスプレイ３１に含まれる入力部３３への入力操作としては、タップ、スワイプ、ピンチイン、ピンチアウト等を含む。また、ウェアラブル端末３０は、入力部３３としてクラウンや音量ボタン等のハードウェアボタン（不図示）を含んでも良い。
【００２１】
本実施形態では、ネットワークｎを介して接続された情報処理装置１０とウェアラブル端末３０とを連携させることで、情報処理装置１０の機能を制限したロック状態と、このロック状態が解除されたアンロック状態との間の状態遷移を制御する。ここでは、上述した制御を実現し得る情報処理システムの構成について、図２を参照して説明する。
【００２２】
図２は、図１に示す情報処理システムの機能構成の一例を示すブロック図である。図２に示すように、情報処理装置１０は、上述した表示部１２と入力部１３とを兼ねるディスプレイ１１と、センサ部１４と、通信部１５と、制御部１６と、条件設定部１７とを含む。また、ウェアラブル端末３０は、上述した表示部３２と入力部３３とを兼ねるディスプレイ３１と、センサ部３４と、通信部３５と、制御部３６とを含む。
【００２３】
通信部１５は、情報処理装置１０とウェアラブル端末３０との間でネットワークｎを介した通信を確立し、情報処理装置１０内の各構成が当該ネットワークｎを介して各種データを送受信するための構成部である。通信部１５は、例えば、Ｂｌｕｅｔｏｏｔｈ（登録商標）やＷｉ−Ｆｉ（登録商標）等の無線通信を実現するための通信デバイスとして構成される。
【００２４】
センサ部１４は、情報処理装置１０の位置や向き、傾き等の変化を検出するための構成部である。本実施形態において、センサ部１４は、情報処理装置１０の加速度を検出する加速度センサを含み、検出した加速度の情報を制御部１６に出力する。なお、センサ部１４は、加速度センサに限らず、情報処理装置１０の位置や向き、傾き等の変化を検出可能な各種センサを含む構成であっても良い。本実施形態において、「情報処理装置１０を操作する」とは、上述したディスプレイ１１やハードウェアボタン（不図示）を含む入力部１３への入力操作に加え、ユーザーが情報処理装置１０を手に取って移動、又は情報処理装置１０を持った手を動かす等の所作により情報処理装置１０の位置や向きを変化させることを含む。すなわち、本実施形態では、例えば、センサ部１４によって取得された加速度のベクトル量が、予め設定された閾値以上となった場合には、「情報処理装置１０が操作された」ものと見做すこととする。
【００２５】
まず、情報処理装置１０の各構成部について説明する。
【００２６】
制御部１６は、後述する条件設定部１７に予め設定されている各種条件、及び、ネットワークｎを介してウェアラブル端末３０から送信される各種データや、情報処理装置１０から送信された操作要求に応じてウェアラブル端末３０で実施された操作に関する情報等に基づき、ロック状態とアンロック状態との間の状態遷移を制御する構成部である。また、制御部１６は、ネットワークｎを介して、ウェアラブル端末３０に対する操作要求を送信する機能を有している。
【００２７】
また、制御部１６は、情報処理装置１０のセキュリティロック機能（以下、単に「ロック機能」とも称する）の有効化又は無効化する機能を有している。ロック機能の有効化又は無効化は、例えば、情報処理装置１０の基本動作を設定する「設定アプリケーションプログラム」によって提供される。以下、ロック機能が有効化されていることを前提として説明する。
【００２８】
条件設定部１７は、ロック状態とアンロック状態との間の状態遷移を制御するための各種条件が設定される構成部である。
【００２９】
図３は、条件設定部に設定される各種条件の一例を示す図である。
【００３０】
情報処理装置１０の制御部１６は、ロック状態とアンロック状態との間の状態遷移処理として、アンロック状態からロック状態への移行処理（以下「ロック移行処理」とも称する）、ロック状態を解除してアンロック状態に移行する処理（以下、「ロック解除処理」とも称する）等を実行する。条件設定部１７に設定される各種条件としては、ロック移行処理の際のロック移行条件、ロック解除処理の際のロック解除条件、スリープ状態を解除する際のスリープ解除条件等を含む。条件設定部１７に設定される各種条件の詳細な内容については後述する。
【００３１】
次に、ウェアラブル端末３０の各構成部について説明する。
【００３２】
通信部３５は、ウェアラブル端末３０と情報処理装置１０との間でネットワークｎを介した通信を確立し、ウェアラブル端末３０内の各構成がネットワークｎを介して各種データを送受信するための構成部である。通信部３５は、例えば、Ｂｌｕｅｔｏｏｔｈ（登録商標）やＷｉ−Ｆｉ（登録商標）等の無線通信を実現するための通信デバイスとして構成される。
【００３３】
センサ部３４は、ウェアラブル端末３０の位置や向き等の変化を検出するための構成部である。本実施形態において、センサ部３４は、ウェアラブル端末３０の加速度を検出する加速度センサを含み、検出した加速度の情報を制御部３６に出力する。なお、センサ部３４は、加速度センサに限らず、ウェアラブル端末３０の位置や向き等の変化を検出可能な各種センサを含む構成であっても良い。本実施形態において、「ウェアラブル端末３０を操作する」とは、上述したディスプレイ３１やハードウェアボタン（不図示）への入力操作に加え、ユーザーがウェアラブル端末３０を装着して移動、又はウェアラブル端末３０を装着した腕を動かす等の所作によりウェアラブル端末３０の位置や向きを変化させる動作を含む。すなわち、本実施形態では、例えば、センサ部３４によって取得された加速度のベクトル量が、予め設定された閾値以上となった場合には、「ウェアラブル端末３０が操作された」ものと見做すこととする。
【００３４】
制御部３６は、センサ部３４から出力される、ウェアラブル端末３０の加速度を示すデータを、ネットワークｎを介して情報処理装置１０に送信する。なお、制御部３６は、ネットワークｎを介して情報処理装置１０から送信された操作要求に基づき、ウェアラブル端末３０の加速度を示すデータを情報処理装置１０に送信しても良いし、ユーザーが入力部３３を操作することにより、ウェアラブル端末３０の加速度を示すデータを情報処理装置１０に送信しても良い。
【００３５】
以下、上述した情報処理システム１における処理の具体例について説明する。ここでは、まず、ウェアラブル端末３０と連携しない情報処理装置１０のロック移行処理及びロック解除処理について説明する。
【００３６】
図４は、比較例に係るロック移行処理の一例を示すフローチャートである。
【００３７】
比較例に係るロック移行条件の具体例としては、例えば、以下の例１及び例２が例示される。なお、比較例に係るロック移行条件は、以下に示す例に限るものではない。
【００３８】
例１：「情報処理装置１０が所定期間以上に亘り操作されていないこと」
【００３９】
例２：「入力部１３からロック状態への移行を指示する操作が行われたこと」
【００４０】
例１の「情報処理装置１０が所定時間以上に亘り操作されていないこと」とは、上述したように、例えば、ディスプレイ１１やハードウェアボタン（不図示）を含む入力部１３への入力操作が所定時間以上行われないことや、センサ部１４によって取得された加速度のベクトル量が、所定時間以上予め設定された閾値以下であること等を含む。
【００４１】
例２の「入力部１３からロック状態への移行を指示する操作が行われたこと」とは、例えば、アンロック状態においてハードウェアボタンとしての電源ボタン（不図示）やスリープボタン（不図示）が押されたこと等を含む。
【００４２】
制御部１６は、上述したロック移行条件に基づき、図４に示すロック移行処理を実行する。具体的に、制御部１６は、アンロック状態において、条件設定部１７に予め設定されたロック移行条件に基づき、ロック移行条件を満たすか否かを判定する（ステップＳ１０１）。
【００４３】
ロック移行条件を満たしていない場合（ステップＳ１０１；Ｎｏ）、制御部１６は、ロック移行条件を満たすまで、ステップＳ１０１の処理を繰り返し実施する。
【００４４】
ロック移行条件を満たす場合（ステップＳ１０１；Ｙｅｓ）、制御部１６は、アンロック状態からロック状態に移行すると共に（ステップＳ１０２）、スリープ状態に移行し（ステップＳ１０３）、比較例に係るロック移行処理を終了する。
【００４５】
図５は、比較例に係るロック解除処理の一例を示すフローチャートである。図５に示すロック解除処理では、情報処理装置１０がスリープ状態であるとき、まず、制御部１６は、条件設定部１７に予め設定されたスリープ解除条件に基づき、スリープ状態を解除する。
【００４６】
スリープ解除条件としては、例えば、以下の例１及び例２が例示される。なお、スリープ解除条件は、以下に示す例に限るものではない。
【００４７】
例１：「情報処理装置１０が操作されたこと」
【００４８】
例２：「プッシュ通知を受信したこと」
【００４９】
例１の「情報処理装置１０が操作されたこと」とは、上述したように、例えば、ディスプレイ１１やハードウェアボタン（不図示）を含む入力部１３への入力操作が行われたことや、センサ部１４によって取得された加速度のベクトル量や傾き等が、予め設定された閾値以上となること等を含む。スリープ解除条件１７３における入力部１３への入力操作としては、例えば、ロック状態において、ハードウェアボタンとしての電源ボタン（不図示）やスリープボタン（不図示）が押されたことや、ディスプレイ１１へのタップ等を含む。
【００５０】
例２の「プッシュ通知」は、例えば、メールや各種アプリケーションプログラムによる新着情報等を含む。
【００５１】
制御部１６は、上述したスリープ解除条件に基づき、スリープ解除処理を実行する。具体的に、スリープ状態において、制御部１６は、条件設定部１７に予め設定されたスリープ解除条件に基づき、スリープ解除条件を満たすか否かを判定する（ステップＳ２０１）。
【００５２】
スリープ解除条件を満たしていない場合（ステップＳ２０１；Ｎｏ）、制御部１６は、スリープ解除条件を満たすまで、ステップＳ２０１の処理を繰り返し実施する。
【００５３】
スリープ解除条件を満たす場合（ステップＳ２０１；Ｙｅｓ）、制御部１６は、スリープを解除してロック状態に移行し（ステップＳ２０２）、情報処理装置１０における操作待機を行う（ステップＳ２０３）。
【００５４】
比較例に係るロック解除条件の具体例としては、例えば、数字や文字を含む「セキュリティパスワード」や「生体認証キー」等が例示される。「セキュリティパスワード」や「生体認証キー」は、ユーザーが、例えば上述した「設定アプリケーションプログラム」によってロック機能を有効化した際に設定する。なお、ロック解除条件は、「セキュリティパスワード」や「生体認証キー」に限るものではなく、例えば、表示部１２に表示される画像のタップ順やジェスチャー動作であっても良い。また、「生体認証キー」は、指紋、虹彩、顔等を確認するための画像データや、声紋等を確認するための音声データ等であっても良い。
【００５５】
制御部１６は、上述したロック解除条件に基づき、ロック状態を解除してアンロック状態に移行するかロック状態を維持するかを判定する。具体的に、ロック解除条件を満たす場合（ステップＳ２０４；Ｙｅｓ）、制御部１６は、ロック状態を解除してアンロック状態に移行し（ステップＳ２０５）、ロック解除処理を終了する。
【００５６】
ロック解除条件を満たしていない場合（ステップＳ２０４；Ｎｏ）、制御部１６は、ロック解除が不可能であるとしてロック状態を維持し（ステップＳ２０６）、比較例に係るロック解除処理を終了する。
【００５７】
ここで、本実施形態に係るロック移行処理について説明する。
【００５８】
図４に示した比較例に係るロック移行処理では、ロック移行条件を満たせば（ステップＳ１０１；Ｙｅｓ）、アンロック状態からロック状態に移行して（ステップＳ１０２）、スリープ状態に移行する（ステップＳ１０３）。
【００５９】
また、図５に示した比較例に係るロック解除処理では、ロック解除条件を満たしていない場合には（ステップＳ２０４；Ｎｏ）、ロック解除が不可能であるとしてロック状態が維持される。
【００６０】
これにより、紛失や盗難によって情報処理装置１０がユーザーの手元を離れた場合のセキュリティを確保することができる。特に、比較例に係るロック移行条件の具体例として示した例１の「情報処理装置１０が所定期間以上に亘り操作されていないこと」をロック移行条件とすることで、例えば、ユーザーが情報処理装置１０を置き忘れ等により紛失した場合に、第三者によって情報処理装置１０を不正利用されることを防ぐことができる。
【００６１】
一方、比較例に係るロック移行処理において、比較例に係るロック移行条件の具体例として示した例１の「情報処理装置１０が所定期間以上に亘り操作されていないこと」を満たす状況としては、ユーザーが情報処理装置１０を使っていない場合や、ユーザーが情報処理装置１０を置き忘れた場合に限らない。例えば、情報処理装置１０に所望の情報を表示した状態で机上に配置し、他の作業と並行して情報処理装置１０を利用する状況が考えられる。このような利用状況では、上述した比較例に係るロック移行処理によって他の作業を行っているときに、ユーザーの意思に反して情報処理装置１０がロックされ得る。この場合、情報処理装置１０に表示した情報を再閲覧しようとしたとき、上述した比較例に係るロック解除処理によって情報処理装置１０のロックを解除する必要があり、情報処理装置１０の利用に際して不要な手間が掛かる。
【００６２】
本実施形態に係るロック移行処理では、情報処理装置１０とウェアラブル端末３０とを連携させ、アンロック状態からロック状態への移行を簡便な手順で解除してアンロック状態を維持することを可能とする。以下、本実施形態に係るロック移行処理について、図６及び図７を参照して説明する。
【００６３】
図６は、実施形態１に係るロック移行条件の一例を示す図である。図７は、実施形態１に係るロック移行処理の一例を示すフローチャートである。
【００６４】
本実施形態に係るロック移行条件は、図６に示すように、第１条件及び第２条件を含む。
【００６５】
本実施形態に係るロック移行処理の第１条件としては、「情報処理装置１０が所定期間（第１期間）以上に亘り操作されていないこと」を含む。なお、本実施形態に係るロック移行処理の第１条件は、上述した比較例に係るロック移行条件１７１における例１と実質的に同一であっても良い。また、本実施形態に係るロック移行処理の第１条件は、上記に限るものではない。
【００６６】
また、本実施形態に係るロック移行処理の第２条件としては、「ウェアラブル端末３０において、所定期間（第２期間）に操作要求に対応する操作が行われたこと」を含む。
【００６７】
本実施形態に係るロック移行処理の第２条件における操作要求は、上述した本実施形態に係るロック移行処理の第１条件を満たした場合に、情報処理装置１０からウェアラブル端末３０に対して送信される。ウェアラブル端末３０が当該ウェアラブル端末３０に対する操作要求を受信したことをユーザーに知らせる手段としては、例えば、ウェアラブル端末３０によって発せられる音又は振動等が例示される。ウェアラブル端末３０が操作要求を受信したことをユーザーに知らせる手段は、音や振動に限るものではない。
【００６８】
本実施形態に係るロック移行処理の第２条件において要求する操作としては、例えば、「ウェアラブル端末３０のディスプレイ３１をタップすること」、「ウェアラブル端末３０のディスプレイ３１に表示された画像をタップすること」、「ウェアラブル端末３０を装着した腕を振ること」、「ウェアラブル端末３０を装着した腕を所定のジェスチャー動作で動かすこと」等が例示されるが、これらに限るものではない。なお、本実施形態に係るロック移行処理の第２条件において要求する操作としては、より簡単な操作にすることでユーザーの負担を減らすことができる。以下の説明では、「ウェアラブル端末３０を装着した腕を所定のジェスチャー動作で動かすこと」について説明する。
【００６９】
本実施形態に係るロック移行処理の第２条件として、例えば、ウェアラブル端末３０のセンサ部３４により検出され得る加速度の時系列に沿った変化を示す情報が加速度情報として予め設定される。この場合、「情報処理装置１０に予め設定された加速度情報における時間的変位と、所定期間（第２期間）にウェアラブル端末３０から送信された加速度データの時間的変位とが略一致していること」が、本実施形態に係るロック移行処理の第２条件とされる。
【００７０】
加速度情報は、例えば、上述した「設定アプリケーションプログラム」によって設定される態様であっても良い。具体的には、「設定アプリケーションプログラム」を起動し、例えば、ユーザーがウェアラブル端末３０を腕に装着した状態で腕を動かし、ネットワークｎを介してウェアラブル端末３０から送信されるウェアラブル端末３０の加速度を示すデータを加速度情報として登録する態様であっても良い。
【００７１】
なお、本開示において、「情報処理装置１０に予め設定された加速度情報における時間的変位と、所定期間（第２期間）にウェアラブル端末３０から送信された加速度データの時間的変位とが略一致している」とは、必ずしも双方の時間的変位が一致しているとは限らず、時系列に沿った双方のデータの時間的変位の特徴から、相似した動作であると見做せる場合を含む。
【００７２】
制御部１６は、上述した本実施形態に係るロック移行処理の第１条件及び第２条件に基づき、図７に示す本実施形態に係るロック移行処理を実行する。以下の説明において、本実施形態に係るロック移行処理の第１条件を単に「第１条件」と称し、本実施形態に係るロック移行処理の第２条件を単に「第２条件」と称する。具体的に、アンロック状態において、制御部１６は、第１条件を満たすか否かを判定する（ステップＳ３０１）。
【００７３】
第１条件を満たしていない場合（ステップＳ３０１；Ｎｏ）、制御部１６は、当該第１条件を満たすまで、ステップＳ３０１の処理を繰り返し実施する。ここでは、「情報処理装置１０が所定期間（第１期間）以上に亘り操作されていない」場合に、第１条件を満たすものとして判定する。
【００７４】
第１条件を満たす場合（ステップＳ３０１；Ｙｅｓ）、制御部１６は、ネットワークｎを介して、第２条件において要求する操作の操作要求をウェアラブル端末３０に送信し（ステップＳ３０２）、当該操作要求に対応するウェアラブル端末３０の操作によって得られるデータの受信待機を行う（ステップＳ３０３）。ここでは、ウェアラブル端末３０のセンサ部３４により検出される加速度データの受信待機を行う。
【００７５】
制御部１６は、第２条件に基づき、ロック状態への移行を解除してアンロック状態を維持するかロック状態に移行するかを判定する。具体的に、第２条件を満たす場合（ステップＳ３０４；Ｙｅｓ）、制御部１６は、ロック状態への移行を解除してアンロック状態を維持する（ステップＳ３０５）。ここでは、「情報処理装置１０に予め設定された加速度情報と、所定期間（第２期間）にウェアラブル端末３０から送信された加速度データとが略一致している」場合に、第２条件を満たすものとして判定する。
【００７６】
第２条件を満たしていない場合（ステップＳ３０４；Ｎｏ）、制御部１６は、アンロック状態からロック状態に移行すると共に（ステップＳ３０６）、スリープ状態に移行し（ステップＳ３０７）、本実施形態に係るロック移行処理を終了する。
【００７７】
上述したように、本実施形態に係るロック移行処理では、例えば、「情報処理装置１０が所定期間（第１期間）以上に亘り操作されていないこと」とした第１条件を満たす場合でも（ステップＳ３０１；Ｙｅｓ）、例えば、「情報処理装置１０に予め設定された加速度情報における時間的変位と、所定期間（第２期間）にウェアラブル端末３０から送信された加速度データの時間的変位とが略一致していること」とした第２条件を満たした場合には（ステップＳ３０４；Ｙｅｓ）、ロック状態への移行を解除してアンロック状態を維持する（ステップＳ３０５）。このため、例えば、情報処理装置１０に所望の情報を表示した状態で机上に配置し、他の作業と並行して情報処理装置１０を利用するような使用状況において、ユーザーの意思に反して情報処理装置１０がロックされることを回避することができる。
【００７８】
また、予め設定した簡便な手順で簡便な手順でロック状態への移行を解除することができるので、情報処理装置１０の利用に際して不要なロック解除の手間を省略することができる。
【００７９】
なお、比較例に係るロック移行処理を一部併用する態様であっても良い。具体的には、比較例に係るロック移行条件の例２の「入力部１３からロック状態への移行を指示する操作が行われたこと」をロック移行条件とし、「入力部１３からロック状態への移行を指示する操作が行われた」場合には、アンロック状態からロック状態に移行すると共に、スリープ状態に移行する態様であっても良い。
【００８０】
以上説明したように、実施形態に係る情報処理方法は、機能が制限されたロック状態と、当該ロック状態が解除されたアンロック状態とを有し、ネットワークｎを介して接続されたウェアラブル端末３０と連携して、ロック状態とアンロック状態との間の状態遷移を制御する情報処理装置１０の情報処理方法であって、アンロック状態において、予め定められた第１条件を満たすか否かを判定する第１ステップと、第１ステップにおいて第１条件を満たした場合に、ウェアラブル端末３０に対し、所定の操作要求を送信する第２ステップと、ウェアラブル端末３０において、予め定められた第２条件を満たす操作が行われたか否かを判定する第３ステップと、を有し、第３ステップにおいて第２条件を満たした場合に、アンロック状態を維持する。
【００８１】
また、実施形態に係る情報処理システム１は、機能が制限されたロック状態と、当該ロック状態が解除されたアンロック状態とを有する情報処理装置１０と、当該情報処理装置１０とネットワークｎを介して接続されたウェアラブル端末３０とが連携して、ロック状態とアンロック状態との間の状態遷移を制御する情報処理システム１であって、アンロック状態において、予め定められた第１条件を満たすか否かを判定する第１処理と、第１処理において第１条件を満たした場合に、ウェアラブル端末３０に対し、所定の操作要求を送信する第２処理と、ウェアラブル端末３０において、予め定められた第２条件を満たす操作が行われたか否かを判定する第３処理と、を有し、第３処理において第２条件を満たした場合に、アンロック状態を維持する。
【００８２】
これにより、ユーザーの意思に反して情報処理装置１０がロックされることを回避することができる。また、予め設定した簡便な手順で簡便な手順でロック状態への移行を解除することができるので、情報処理装置１０の利用に際して不要なロック解除の手間を省略することができる。
【００８３】
（実施形態２）
図８は、実施形態２に係るロック解除機能について説明するための説明図である。図９は、実施形態２に係るロック解除処理の一例を示すフローチャートである。なお、上述した実施形態１と同等あるいは同一の構成部については、重複する説明を省略する。
【００８４】
本実施形態に係るロック解除処理では、情報処理装置１０とウェアラブル端末３０とを連携させ、情報処理装置１０のロック状態を簡便な手順で解除することを可能とする。
【００８５】
本実施形態に係るロック解除機能は、ユーザーがウェアラブル端末３０を腕に装着し、ウェアラブル端末３０を装着した方の手に情報処理装置１０を持った状態で機能する。これにより、情報処理装置１０とウェアラブル端末３０との動き方向が一致する（図８参照）。
【００８６】
本実施形態に係るロック解除処理では、実施形態１において説明した比較例に係るロック解除処理に対し、ロック解除条件が異なっている。
【００８７】
本実施形態では、「情報処理装置１０のセンサ部１４により検出される加速度データの時間的変位と、ウェアラブル端末３０のセンサ部３４により検出されて送信される加速度データの時間的変位とが略一致していること」が、本実施形態に係るロック解除条件とされる。
【００８８】
なお、本開示において、「情報処理装置１０のセンサ部１４により検出される加速度データの時間的変位と、ウェアラブル端末３０のセンサ部３４により検出されて送信される加速度データの時間的変位とが略一致している」とは、必ずしも双方の時間的変位が一致しているとは限らず、時系列に沿った双方のデータの時間的変位の特徴から、相似した動作であると見做せる場合を含む。
【００８９】
以下、本実施形態に係るロック解除処理について、図９を参照して説明する。なお、ここでは、実施形態１において説明した図５に示す比較例に係るロック解除処理との相違点について説明する。
【００９０】
制御部１６は、スリープを解除してロック状態に移行した後（ステップＳ２０２）、センサ部１４により検出される情報処理装置１０の加速度データとウェアラブル端末３０のセンサ部３４により検出され、ネットワークｎを介して送信されるウェアラブル端末３０の加速度データを取得する（ステップＳ２０３ａ）。
【００９１】
制御部１６は、上述した本実施形態に係るロック解除条件に基づき、ロック状態を解除してアンロック状態に移行するかロック状態を維持するかを判定する。具体的に、ロック解除条件を満たす場合（ステップＳ２０４ａ；Ｙｅｓ）、すなわち、「情報処理装置１０のセンサ部１４により検出される加速度データの時間的変位と、ウェアラブル端末３０のセンサ部３４により検出されて送信される加速度データの時間的変位とが略一致している」場合、制御部１６は、ロック状態を解除してアンロック状態に移行し（ステップＳ２０５）、ロック解除処理を終了する。
【００９２】
ロック解除条件を満たしていない場合（ステップＳ２０４ａ；Ｎｏ）、制御部１６は、ロック解除が不可能であるとしてロック状態を維持し（ステップＳ２０６）、比較例に係るロック解除処理を終了する。
【００９３】
上述したように、本実施形態に係るロック解除処理では、「情報処理装置１０のセンサ部１４により検出される加速度データの時間的変位と、ウェアラブル端末３０のセンサ部３４により検出されて送信される加速度データの時間的変位とが略一致している」ことをロック解除条件とすることで、比較例に係るロック解除処理におけるロック解除条件の「セキュリティパスワード」を入力する場合よりも簡便な手順でロック状態を解除することができる。
【００９４】
また、情報処理装置１０のみではロック解除できないため、セキュリティレベルを向上することができる。
【００９５】
なお、比較例に係るロック解除処理を併用する態様であっても良い。具体的には、比較例に係るロック解除条件の「セキュリティパスワード」や、各種「生体認証キー」等を併用しても良い。この場合には、ロック解除条件が増えることでセキュリティレベルが低下する可能性はあるものの、情報処理装置１０のみでロック解除することが可能であるため、ロック解除機能の汎用性を高めることができる。
【符号の説明】
【００９６】
１  情報処理システム
１０  情報処理装置
１１  ディスプレイ
１２  表示部
１３  入力部
１４  センサ部
１５  通信部
１６  制御部
１７  条件設定部
３０  ウェアラブル端末
３１  ディスプレイ
３２  表示部
３３  入力部
３４  センサ部
３５  通信部
３６  制御部
【図１】
2020109601.tif 000003
【図２】
2020109601.tif 000004
【図３】
2020109601.tif 000005
【図４】
2020109601.tif 000006
【図５】
2020109601.tif 000007
【図６】
2020109601.tif 000008
【図７】
2020109601.tif 000009
【図８】
2020109601.tif 000010
【図９】
2020109601.tif 000011